(57)【要約】【課題】  多くのサラリーマンにとって、通勤は苦痛以外の何物でもなく、一日に消費するエネルギーの大半を通勤で使い果たしているのが現状である。一方交通機関を運用している側にとっては、少子化等乗客の減少による収入減に悩まされてきた。【解決手段】  従来のマッサージ機が横型で設置スペースが大きかったのに対し、本発明のマッサージ機は縦型のため、設置スペースを著しく小さくすることができる。したがって電車、バス、航空機等の交通機関内に設置、利用できるようになり、従来苦痛であった通勤時間をマッサージをとおして心身ともにリラックスできる時間と空間に変貌させ、交通機関の運行者にはマッサージというサービスを新たに提供して、運賃以外の増収をはかる。  航空機に適用すれば、エコノミー症候群に対しても効果が期待できる。【選択図】  図１
2005230393.tif 000002
【特許請求の範囲】
【請求項１】
設置スペースを小さくできる縦型のマッサージ機。
【請求項２】
電車や列車、バス、航空機等交通機関の中に設置し、乗客が移動途中に車内や航空機の中でマッサージを楽しむことができるマッサージ機。
【請求項３】
電車、列車、バス、航空機その他多くの乗客を乗せる車内にて、垂直より少し後方に寝かせた縦型の椅子にパソコンが置けるテーブルを設けたり、簡単な化粧ができる鏡を設けた省スペース型椅子。
【発明の詳細な説明】
【技術分野】
【０００１】
本発明は疲れた身体を揉み解し、心身ともにリラックスさせるマッサージ機において、設置スペースを大幅に小さくできる縦型のマッサージ機に関するものである。特に電車、列車、バス、航空機等の乗り合い交通機関に設置することにより、無味乾燥な通勤や移動時間中にマッサージを行い心身ともにリラックスして、有意義に利用できる効果を持つ。
【背景技術】
【０００２】
従来のマッサージ機においては、水平あるいは水平に近い状態に椅子を寝かせ、付属の器具によって身体をマッサージしていた。
【０００３】
これでは、マッサージ機を設置するために相当の広さの場所が必要で、マッサージ機を利用できる場所は例えばビル内のマッサージ店や家庭等ある程度の制限があった。
【発明の開示】
【発明が解決しようとする課題】
【０００４】
多くのサラリーマンや乗客にとって、通勤や移動のために費やす車内の時間は苦痛以外の何物でもなく、特に車内が満員の場合は心身に与えるストレスは多大で、職場での生産性を著しく低下させる原因となっている。
【０００５】
もしこの通勤時間を心身にとって心地よいものに変えることができれば、従来無駄と考えられていた通勤時間を利用者にとって有意義な時間に変えることができ、しかも目的地到着後の仕事の効率化や、帰宅後の家庭での団欒に貢献することは想像に難くない。
【０００６】
一方通勤電車やバスは、その効率上の制約から一度に多数の乗客を運ぶため、従来のマッサージ機を車内に設置するにはスペース上無理があった。
【課題を解決するための手段】
【０００７】
上記目的を解決するため、本発明のマッサージ機においては図１に示すように椅子の部分を縦型にし、垂直より少し後方に傾けることにより、設置スペースを大幅に小さくした。これにより、電車や列車、バス、航空機等の交通機関においても設置することができるようになった。
【０００８】
乗客は使用時間により決められた金額を、縦型マッサージ機に備え付けのコイン投入器に入れることによりマッサージ機を利用することができる。
【０００９】
本発明のマッサージ機は省スペースの椅子としても利用できるので、通勤電車やバスに設置すれば、長時間たったままでの通勤を余儀なくされていたサラリーマンにとって、通勤自体で消費される無駄なエネルギーを軽減できる。
【発明の効果】
【００１０】
本発明は、以下に記載する効果を奏する。
【００１１】
マッサージ機が縦型のため、設置スペースが小さくてよく、従来考えることもなかった、電車や列車、バス、航空機等の交通機関内に数多くのマッサージ機を設置することができる。
【００１２】
通勤や移動のための電車や列車、バス等の交通機関内の無意味なかつ苦痛でもある時間を、逆に心身をリラックスさせる時間と空間に変えることができ、一石二鳥の効果がある。
【００１３】
また交通機関の運用者にとっては、乗客減に伴う運行収入の減少を、マッサージという付加価値を提供し、その代価を得る事により収入増が期待できる。
【００１４】
混雑した電車や列車、バス等の車内において、マッサージを使用しない場合でも、従来の椅子に比べ多くの乗客がこの縦型マッサージ機に身を委ねることができ、椅子の機能としても利用できる。特にゆれることの多いバスにおいては、乗客の安全上も多いにその効果が期待できる。
【００１５】
航空機の場合、長時間椅子に座った姿勢を続けるといわゆるエコノミー症候群におかされ、乗客は勿論航空会社にとっても裁判沙汰になる等重大な問題であったが、本発明のマッサージ機を航空機に導入することにより、エコノミー症候群の防止効果が期待できる。マッサージだけでなく、椅子として利用するだけでも、縦型に伸ばしたり、通常の椅子に折りたたんで使えば、座る姿勢を変えることができ長期間のフライトにも、対応できる。
【発明を実施するための最良の形態】
【００１６】
発明の実施の形態を図面に基づき説明する。
図２に示すように、従来のマッサージ機は水平あるいは水平に近い状態まで傾け肩、背中、腰、脚あるいは足の裏をもみ器でマッサージする構造となっている。
【００１７】
図１は本発明の縦型マッサージ機の構造を示している。大きく分けて、枕部（１）、背部（５）、腰、脚部（６）、足部（７）から成り立っている。各部は蝶番（１１）で繋がっており、これらを折り曲げることにより、従来型のマッサージ機あるいは通常の椅子としても利用することができる。
【００１８】
肩もみ器（２）や、背部（５）と腰、脚部（６）に内蔵されたもみ器具（３）と足部（７）に内蔵された足裏もみ器具（４）により全身のマッサージが行える。
【００１９】
また（８）は金属のパイプをゴム等の柔らかい材料で覆った身体固定器具で、両腕を左右の身体固定器具（８）に通し、ベルト（１７）を締めることにより、身体をマッサージ機に固定することができる。
【００２０】
（９）は折りたたみ式簡易テーブルで、例えばパソコンを置いて作業したり、このテーブルに鏡を貼り付けておけば女性の場合は化粧をなおすこともでき、朝の貴重な時間を有効に活用できる。
【００２１】
（１０）はテーブル引き出し金具で、マッサージ機への出入り時や不要な時には折りたたみ式簡易テーブル（９）をマッサージ機の横に収納できる構造を持っている。
【００２２】
乗客はコイン投入器（１２）にコインを入れるか、プリペイド式カードを挿入して、マッサージ機を利用できる。
【００２３】
図３は簡易型縦型マッサージ機の構造を示している。半円筒型をしたマッサージ機背部（１４）と足を支えるためのマッサージ機床部（１５）から成り、身体固定器具（８）とベルト（１７）により身体を固定することができる。
【００２４】
肩もみ器（２）、もみ器具（３）、足裏もみ器具（４）、脚部もみ器（１３）が装備されており、これらの器具で全身をマッサージできるように設計されている。
【００２５】
簡易型縦型マッサージ機の場合は、従来の椅子の形に折り曲げることはできないが、図１の縦型マッサージ機に比べ構造が簡単なため安価に製造できる利点がある。
【実施例】
【００２６】
本発明は乗客の多い電車や列車に適用するのが最も効果的である。例えば１両全体をマッサージカーとして、縦型マッサージ機を何十台か設置し、乗客にマッサージというサービスを提供する。
【００２７】
設置スペースの制限が電車に比べてより厳しいバスでは簡易型縦型マッサージ機が良いかもしれない。バスでは全席というより数台の縦型マッサージ機を設置するだけでも、乗客の利便にかなう。
【００２８】
航空機では、客室乗務員の席を縦型マッサージ機にすると最大の効果を発揮する。離着陸時は通常の椅子として使用し、客室乗務員が機内サービスに忙しい水平飛行時にはマッサージ機として乗客に開放すれば設置コストも低減でき、エコノミー症候群の対策にもなる。
【産業上の利用可能性】
【００２９】
少子化等の影響で、各電鉄会社やバス会社は乗客の減少に悩まされている。一方乗客の方は、相変わらず混み合った電車やバスで通勤を強いられ、一日に消費する大半のエネルギーを通勤で使い果たしているのが現状である。
【００３０】
本発明は、乗客には心身ともにリラックスできる時間と空間を提供し、交通機関の運行者にはマッサージという付加価値をとおして、収入の増大を提供する。
【００３１】
本発明を航空機に適応することにより、エコノミー症候群という新たな病気に対応することができ、航空会社も乗客から訴訟をおこされることもなくなる。
【図面の簡単な説明】
【００３２】
【図１】本発明の縦型マッサージ機の図面である。
【図２】従来のマッサージ機の図面である。
【図３】簡易型縦型マッサージ機の図面である。
【符号の説明】
【００３３】
１  枕部
２  肩もみ器
３  もみ器具
４  足裏もみ器具
５  背部
６  腰、脚部
７  足部
８  身体固定器具
９  折りたたみ式簡易テーブル
１０  テーブル引き出し金具
１１  蝶番
１２  コイン投入器
１３  脚部もみ器
１４  マッサージ機背部
１５  マッサージ機床部
１６  マッサージ機脚
１７  ベルト
【図１】
2005230393.tif 000003
【図２】
2005230393.tif 000004
【図３】
2005230393.tif 000005